(57)【特許請求の範囲】
【請求項１】
連続鋳造用タンディッシュ(1)のタンディッシュノズル部(1A)を構成するためのノズル体(5)を有し、前記ノズル体(5)の外周に円筒状の升レンガ(4)を敷設し、前記升レンガ(4)の上部にリング状耐火物(7)を設け、前記リング状耐火物(7)の外周を不定形耐火物(6)で構築したタンディッシュノズルにおいて、
前記リング状耐火物(7)の内縁に形成された輪状鍔部(7A)が前記ノズル体(5)の上部を覆っており、
前記ノズル体(5)は、ガス吹き材質のポーラス部(5A)と、前記ポーラス部(5A)よりも緻密に形成され前記ポーラス部(5A)よりもガスが出にくいように構成された緻密材質(5B)とからなる二重構造の耐火物よりなり、前記緻密材質(5B)は前記ポーラス部(5A)よりも外側に位置しており、
前記ポーラス部(5A)と前記緻密材質(5B)との間にガス供給用のスリット(60)が形成され、
前記ポーラス部(5A)と前記緻密材質(5B)との境(61)が前記リング状耐火物(7)の前記輪状鍔部(7A)によって覆われている構成よりなることを特徴とするタンディッシュノズル。
【請求項２】
前記リング状耐火物(7)の内周壁(7D)は、下方へ向けて外側へ広がる状態のテーパ形状で構成されていることを特徴とする請求項１記載のタンディッシュノズル。
【請求項３】
前記緻密材質(5B)と前記リング状耐火物(7)の熱膨張係数が同等の成分組成であることを特徴とする請求項１又は２に記載のタンディッシュノズル。
【発明の詳細な説明】
【０００１】
【発明の属する技術分野】
本発明は、連続鋳造用のタンディッシュノズルに関し、特に、ノズル体の上部をリング状耐火物の輪状鍔部によって覆うと共に、ノズル体をポーラス部と緻密材質の二重構造の耐火物とすることにより、地金差し及び鉄皮の溶融を防止し、不活性ガスのノズル内への完全な供給を可能としてノズル閉塞発生の抑制及び鋳片品質の向上を得るための新規な改良に関する。
【０００２】
【従来の技術】
従来、用いられていたこの種のタンディッシュノズルとしては、図６で示される特開２０００−２５４７７２号公報の構成を挙げることができる。
すなわち、図６において符号１で示されるものは連続鋳造用タンディッシュであり、この連続鋳造用タンディッシュ１のストッパー８で開閉するタンディッシュノズル部１Ａを構築する場合、本体耐火物３の厚さからリング状耐火物７の厚さを差し引いた厚さの升レンガ４を敷設しておき、その後、レンガからなるノズル体５を前記升レンガ４の内側に嵌め込んでいる。
【０００３】
その後、ノズル体５の外側に稼動面７ａをテーパ状に傾斜させたリング状耐火物７を嵌め込み、このリング状耐火物７と本体耐火物３との間の隙間に不定形耐火物６が充填されている。
従って、前記稼動面７ａ上に落下したスラグ等の異物はノズル体５側へ行くことなくこの稼動面７ａ上を滑落して外側へ排除される。
【０００４】
【発明が解決しようとする課題】
従来のタンディッシュノズルは、以上のように構成されているため、次のような課題が存在していた。
すなわち、図４で示されるように、ノズル体５から介在物の浮上促進並びにタンディッシュノズル部１Ａの閉塞抑制を目的として不活性ガスをノズル体５の下部外周と鉄皮との間のガスプール１２を経て吹込んでいるが、リング状耐火物７の内周がノズル体５の外周に接合しているのみであるため、ノズル体５の上部背面に地金差し１１が発生した場合、ノズル体５の外周に設けられている鉄皮１０が溶融し、図５で示されるように、この溶融した部位から不活性ガスが吐出してしまうと共に、タンディッシュノズル部１Ａ内に安定した不活性ガスの供給が困難となり、ノズル閉塞発生、鋳型湯面変動が大となって鋳片品質低下となっていた。
【０００５】
本発明は、以上のような課題を解決するためになされたもので、特に、ノズル体の上部をリング状耐火物の輪状鍔部によって覆うと共に、ノズル体をポーラス部と緻密材質の二重構造の耐火物とすることにより、地金差し及び鉄皮の溶融を防止し、不活性ガスのノズル内への完全な供給を可能としてノズル閉塞発生の抑制及び鋳片品質の向上を得るようにしたタンディッシュノズルを提供することを目的とする。
【０００６】
【課題を解決するための手段】
本発明によるタンディッシュノズルは、連続鋳造用タンディッシュのタンディッシュノズル部を構成するためのノズル体を有し、前記ノズル体の外周に円筒状の升レンガを敷設し、前記升レンガの上部にリング状耐火物を設け、前記リング状耐火物の外周を不定形耐火物で構築したタンディッシュノズルにおいて、
前記リング状耐火物の内縁に形成された輪状鍔部が前記ノズル体の上部を覆っている構成であり、また、前記ノズル体は、ガス吹き材質のポーラス部と、前記ポーラス部よりも緻密に形成され前記ポーラス部よりもガスが出にくいように構成された緻密材質とからなる二重構造の耐火物よりなり、前記緻密材質は前記ポーラス部よりも外側に位置している構成であり、また、前記ポーラス部と緻密材質との間にガス供給用のスリットが形成されていると共に、前記ポーラス部と前記緻密材質との境が前記リング状耐火物の前記輪状鍔部によって覆われている構成であり、また、前記リング状耐火物の内周壁は、下方へ向けて外側へ広がる状態のテーパ形状よりなる構成であり、また、前記緻密材質と前記リング状耐火物の熱膨張係数が同等の成分組成とした構成である。
【０００７】
【発明の実施の形態】
以下、図面と共に本発明によるタンディッシュノズルの好適な実施の形態について説明する。尚、従来例と同一又は同等部分には同一符号を付して説明する。
図１は、中心線５０によって左側が従来構造、右側が本発明構造を示しており、図１において符号１で示されるものは、連続鋳造用タンディッシュであり、この連続鋳造用タンディッシュ１のストッパー８で開閉するタンディッシュノズル部１Ａを構築する場合、本体耐火物３の厚さからリング状耐火物７の厚さを差し引いた程度の厚さの升レンガ４を敷設しておき、その後、レンガからなるノズル体５を前記升レンガ４の内側に嵌め込んでいる。
【０００８】
前記ノズル体５は、従来と同様のガス吹き材質のポーラス部５Ａと、このポーラス部５Ａよりも緻密な組成の緻密材質５Ｂとからなる二重構造の耐火物よりなり、このポーラス部５Ａと緻密材質５Ｂとの間には外部から不活性ガスを供給することができるように輪状のスリット６０が形成されている。
【０００９】
前記升レンガ４の上部でかつ緻密材質５Ｂの外側位置には、リング状耐火物７及び不定形耐火物６が形成されており、このリング状耐火物７の内縁に一体に形成された輪状鍔部７Ａはノズル体５の上部５Ｃ上を覆うように位置している。従って、このポーラス部５Ａと緻密材質５Ｂとの境６１は前記輪状鍔部７Ａによって覆われて構成されている。尚、前記リング状耐火物７の内周壁７Ｄは図２に示されるように外側へ向けて下方へ広がるテーパ形状によって形成されている。
【００１０】
前記ポーラス部５Ａと緻密材質５Ｂとは、図７の模式図に示されるように各粒子構造が全く異なるものである。すなわち、ポーラス部５Ａの粒子は球状であり、緻密材質５Ｂの粒子は球状と四角等の組合せで隙間が少ない緻密構造となっており、ポーラス部５Ａよりも不活性ガスが出にくいように構成されている。
【００１１】
また、このポーラス部５Ａと緻密材質５Ｂの化学成分としては、表１の第１表に示される通りであり、気孔率に差が存在していることが明らかである。尚、前記緻密材質５Ｂとリング状耐火物７の熱膨張係数は同等の成分組成で構成されている。
【００１２】
【表１】
0004210063.tif 000002
【００１３】
【発明の効果】
本発明によるタンディッシュノズルは、以上のように構成されているため、次のような効果を得ることができる。
すなわち、ポーラス部よりも緻密に形成された緻密材質をノズル体の背面に配設して不活性ガスが鉄皮側へ吐出し難くし、ノズル体内にガス供給用のスリットを配置し、リング状耐火物の上部に形成された輪状鍔部がノズル体の上部を覆って保護しているため、鋳造中の地金差しを防止することができる。
すなわち、図８及び図９で示されるように、地金差しによるノズル閉塞発生件数が従来よりも大幅に低下し、鋳片品質も従来よりも大幅に向上したことが明らかである。
【図面の簡単な説明】
【図１】  本発明及び従来のタンディッシュノズルを中心線で分けて示す概略断面図である。
【図２】  図１の実物に近い状態を示す拡断面図である。
【図３】  図１及び図２のノズル内への不活性ガス供給状態を示す概略構成図である。
【図４】  従来のノズルへのガス供給状態を示す概略構成図である。
【図５】  従来の鉄皮溶融状態のガス漏れ状態を示す概略構成図である。
【図６】  従来のタンディッシュノズルを示す概略断面図である。
【図７】  従来のポーラス部と本発明の緻密材質を示す模式図である。
【図８】  従来と本発明の地金差しによるノズル閉塞発生件数を示すグラフ図である。
【図９】  従来の本発明の鋳片品質比較を示すグラフ図である。
【符号の説明】
１    連続鋳造用タンディッシュ
１Ａ    タンディッシュノズル部
４    升レンガ
５    ノズル体
５Ａ    ポーラス部
５Ｂ    緻密材質
６    不定形耐火物
７    リング状耐火物
７Ａ    輪状鍔部
６０    スリット
６１    境
【図１】
0004210063.tif 000003
【図２】
0004210063.tif 000004
【図３】
0004210063.tif 000005
【図４】
0004210063.tif 000006
【図５】
0004210063.tif 000007
【図６】
0004210063.tif 000008
【図７】
0004210063.tif 000009
【図８】
0004210063.tif 000010
【図９】
0004210063.tif 000011